(57)【要約】      （修正有）【課題】予想外に蓋開閉装置から蓋が落下しても、マンホール内外への落下や、人体上への落下にならない落下防止受け具付きマンホール蓋開閉装置を提供する。【解決手段】マンホール蓋１４０の上側からマンホール蓋１４０に接触して持ち上げるための蓋持ち上げ具１２０と蓋持ち上げ具１２０の下で且つマンホール蓋１４０の下の高さの位置に移動可能に備えられ、落下の場合にマンホール蓋１４０を受けるための蓋受け具１３０と、蓋持ち上げ具１２０と蓋受け具１３０が取り付けられる台車１１０又は台座とを備える。マンホール蓋１４０を持ち上げた後にマンホール蓋１４０の下に移動挿入されて、蓋持ち上げ具１２０の下にある状態であり、マンホール蓋１４０を持ち上げる前の蓋受け具１３０は、蓋持ち上げ具１２０の下の位置から外れた状態にあり、二つの状態の間で蓋受け具１３０が移動可能に構成される。【選択図】図１
0003187817.tif 000002
【実用新案登録請求の範囲】
【請求項１】
マンホール蓋の上側からマンホール蓋に接触して持ち上げるための蓋持ち上げ具と前記蓋持ち上げ具の下で且つ前記マンホール蓋の下の高さの位置に移動可能に備えられ、落下の場合にマンホール蓋を受けるための蓋受け具と、前記蓋持ち上げ具と前記蓋受け具が取り付けられる台車又は台座とを備えたことを特徴とする落下防止受け具付きマンホール蓋開閉装置。
【請求項２】
前記蓋受け具は、前記台車又は前記台座に対してスライド又は回転可能であることを特徴とする請求項１記載の落下防止受け具付きマンホール蓋開閉装置。
【考案の詳細な説明】
【技術分野】
【０００１】
本考案は、マンホール蓋の開閉中に意図しない落下事故を防止する落下防止受け具付きのマンホール蓋開閉装置に関するものである。
【背景技術】
【０００２】
従来、マンホール蓋の開閉装置としては、図４に示すものが提案され商品化されている。
いずれも一人又は二人で作業するときに用いられるが、重いマンホール蓋を開閉するに便利なものである。４−Ａでは、特許文献１に紹介されている。４−Ｂでは、特許文献２に記載されている。４−Ｃでは、特許文献３に示されている。４−Ｄでは、特許文献４に示されている。何れもマンホール蓋の穴に引っ掛けるフックの付いたアームを備えて、マンホールの蓋を持ち上げて開くものであり、大変便利である。しかしながら、このような従来の蓋開閉装置又は蓋開閉具は、蓋を持ち上げる機能を備えてはいるだけなので、蓋をもい上げ状態から、蓋が外れて、マンホール内外に落下、或いは、落下しないものとの想定で、蓋の下で作業していた作業者の身体の上に落下など予想外の事故が発生したいたことには対応できていなかった。
【先行技術文献】
【特許文献】
【０００３】
【特許文献１】特開２００２−１３８５０４
【特許文献２】実開平６−２４０３２
【特許文献３】特開平６−２４６６４６
【特許文献４】特開２００８−９５４１１
【考案の概要】
【考案が解決しようとする課題】
【０００４】
以上のような従来のマンホール蓋開閉装置の欠点を補って、予想外に蓋開閉装置から蓋が落下しても、マンホール内外への落下や、人体上への落下にならないマンホール蓋開閉装置を提供することである。
【課題を解決するための手段】
【０００５】
本考案の落下防止受け具付きマンホール蓋開閉装置は、マンホール蓋の上側からマンホールを持ち上げるための持ち上げ具以外に、落下があった場合のマンホールを受ける受け具を備え、マンホールを持ち上げた後にマンホールの下に移動挿入されて、持ち上げ具の下にある状態であり、マンホールを持ち上げる前の受け具は、持ち上げ具の下の位置から外れた状態にあり、二つの状態の間で受け具が移動可能に構成されていることを特徴としている。
以下、請求項に沿って記述する。
【０００６】
請求項１記載の考案は、落下防止受け具付きマンホール蓋開閉装置であって、
マンホール蓋の上側からマンホール蓋に接触して持ち上げるための蓋持ち上げ具と前記蓋持ち上げ具の下で且つ前記マンホール蓋の下の高さの位置に移動可能に備えられ、落下の場合にマンホール蓋を受けるための蓋受け具と、前記蓋持ち上げ具と前記蓋受け具が取り付けられる台車又は台座とを備えたことを特徴とする。
【０００７】
請求項２記載の考案は、請求項１記載の落下防止受け具付きマンホール蓋開閉装置において、前記蓋受け具は、前記台車又は前記台座に対してスライド又は回転可能であることを特徴とする。
【考案の効果】
【０００８】
以上の様に構成されているので、本発明による落下防止受け具付きマンホール蓋開閉装置
は、マンホール蓋の開閉時に落下する蓋を受けて落とさないので、マンホール内外への落下と落下による事故が防止できる。
【図面の簡単な説明】
【０００９】
【図１】本考案による落下防止受け具付きマンホール蓋開閉装置の一実施態様を示す図である。
【図２】本考案による落下防止受け具付きマンホール蓋開閉装置の別の実施態様を示す図である。
【図３】本考案による落下防止受け具付きマンホール蓋開閉装置の蓋受け具の例を示す図である。
【図４】従来のマンホール蓋開閉装置又は開閉具の例を示す図である。
【考案を実施するための形態】
【００１０】
本考案の落下防止受け具付きマンホール蓋開閉装置は、マンホール蓋の上側からマンホールを持ち上げるための持ち上げ具以外に、落下があった場合のマンホール蓋を受ける蓋受け具を備え、マンホールを持ち上げた後にマンホールの下に移動挿入されて、持ち上げ具の下にある状態であり、マンホールを持ち上げる前の受け具は、持ち上げ具の下の位置から外れた状態にあり、二つの状態の間で受け具が移動可能に構成されていることを特徴としている。
以下図に沿って説明する。
【００１１】
図１は、本考案による落下防止受け具付きマンホール蓋開閉装置の一実施態様を示す図である。１−Ａでは、落下防止受け具付きマンホール蓋開閉装置１００のうちでも、車輪を備えた台車型のマンホール蓋開閉装置の例である。
台車１１０と蓋持ち上げ具１２０と蓋受け具１３０を備えている。見やすいように、これを分解して１−Ｂ、１−Ｃ、１−Ｄに示す。台車１１０は、１−Ｂに示され、車輪１１１を備えた台車フレーム１１２とこれを手で押し引きするために台車フレーム１１２に接続された取っ手１１３を備えている。蓋持ち上げ具１２０は、１−Ｃに示され、台車フレーム１１２に対して相対的上下動可能であり、マンホール蓋の穴等に引っ掛けるなどしてマンホール蓋を持ち上げるフック１２１を備えている。この例では、マンホール蓋の二つの穴に挿入して挟むために二つのフック１２１を備え、堅固にホールドするため、穴の間隔にも対応できるように、二つのフック１２１の間隔が変えられるようになっている。そのためには、フック１２１は、横に渡した横片１２２の長手方向にスライド可能に取り付けられ、横片１２２は、上下動する可動軸１２３にその間に介在して繋ぐ介在アーム１２４を通じて接続している。可動軸１２３は、この例では、ハンドル１２５を回転すると、第一回転体１２６により、ベルト１２７が送られ、第二回転体１２８が回転して、その結果、第二回転体１２８にかみ合った可動軸１２３が上下に移動するようになっている。故に、ハンドル１２５を回転により、フック１２１従って、これに把持されるマンホール蓋を上下動させることが出来る。
蓋受け具１３０は、１−Ｄに示され、マンホール蓋の下に移動してこれを受ける蓋受け体１３１とこれに接続しスライドするためのスライドバー１３２とスライドバー１３２をスライド可能に保持する保持体１３３を備え、保持体１３３は１−Ｂの台車フレーム１１２に固定保持される。この例では、蓋受け体１３１は、２本のスライドバー１３２の間に渡した網体１３４を備えているが、スライドバー１３２自体のみでもよい。この例では、スライドバー１３２に付いた押し引き握り部１３５を押し引きすれば、台車１１０に対して蓋受け体１３１をスライドでき、フック１２１の下とそこから外れた位置との間で水平に移動できる。
１−Ｅでは、マンホール蓋１４０と蓋受け具１３０と蓋持ち上げ具１２０の上下の位置関係を示している。蓋受け具１３０は、マンホール蓋１４０に下に入って、落下した場合に備えて支える位置関係にある。
【００１２】
図２は、本考案による落下防止受け具付きマンホール蓋開閉装置の別の実施態様を示す図である。落下防止受け具付きマンホール蓋開閉装置１００のうちでも、蓋持ち上げ具１２０と蓋受け具１３０と台車又は台座１１０を備えている。２−Ａから２−Ｃに共通して、
蓋受け具１３０は、横にスライド可能に台車又は台座１１０に設置されていること、及び、蓋持ち上げ具１２０が、台車又は台座１１０に立ち上がった支持柱１５０の先端に付いた回転軸１５１の周りに上下に回るアーム棒１５２を備え、アーム棒１５２の先端に間隔の可変のフック１２１と横片１２２が設置されている。従って、アーム棒１５２を上下に回転して、フック１２１を下げて、フック１２１でマンホール蓋の穴を捉えてから、アーム棒１５２を戻すと、マンホール蓋が上がって開く、その後、蓋受け具１３０をフック１２１下側まで前進させると、マンホール蓋の下に位置することが出来る。
各図で異なることを記述すると、２−Ａと２−Ｃでは、車輪付きの台車であるが、２−Ｂでは、台座となっている。２−Ａと２−Ｃの違いは、２−Ａでは、スライドをさせるために押し引き握り部１３５があるが、２−Ｃでは、スライドバー１３２には、引きワイヤ１３６が繋がっていて、これが、ペダル１３７を踏みこみ位置では、引かれて、スライドバー１３２が後退し、踏み込み位置でないときは、バネ等の復元体１３８により、スライドバー１３２が前進するようになっている。
尚、いずれの場合も、支持柱１５０の軸の周りにアーム棒１５２が回転するようにすることも可能である。
以上の２例は、従来品の４−Ｃ、４−Ｄを改良した例となっているが、どの例に対しても適用が可能である。
【００１３】
図３は、本考案による落下防止受け具付きマンホール蓋開閉装置の蓋受け具の例を示す図である。３−Ａでは、１−Ｄと同じく前後にスライドするものであり、３−Ｂでは、回転軸の周りに回転することで、蓋受け具の位置を変えるものであり、３−Ｃでは、蓋受け具が、折りたためる２本の棒になっているものである。
【産業上の利用可能性】
【００１４】
以上のように本考案による落下防止受け具付きマンホール蓋開閉装置は、マンホール蓋の開閉時に落下する蓋を受けて落とさないので、マンホール内外への落下と落下による事故が防止できるので、産業上利用して効果が極めて大きい。
【符号の説明】
【００１５】
１００  落下防止受け具付きマンホール蓋開閉装置
１１０  台車
１１１  車輪
１１２  台車フレーム
１１３  取っ手
１２０  蓋持ち上げ具
１２１  フック
１２２  横片
１２３  可動軸
１２４  介在アーム
１２５  ハンドル
１２６  第一回転体
１２７  ベルト
１２８  第二回転体
１３０  蓋受け具
１３１  蓋受け体
１３２  スライドバー
１３３  保持体
１３４  網体
１３５  押し引き握り部
１３６  引きワイヤ
１３７  ペダル
１３８  復元体
１４０  マンホール蓋
１５０  支持柱
１５１  回転軸
１５２  アーム棒
【図１】
0003187817.tif 000003
【図２】
0003187817.tif 000004
【図３】
0003187817.tif 000005
【図４】
0003187817.tif 000006